(57)【特許請求の範囲】
【請求項１】
可動役物装置を備えたパチンコ遊技機において、
前記可動役物装置は、
少なくとも１つのギミックと、
１つの駆動モータを有する役物駆動機構と、
前記ギミックを、直線的な進退移動動作、進退移動の移動方向と平行な軸回りに回動する回転動作、及び遊技盤の面に平行且つ前記移動方向に対して交差する方向に開閉する開閉動作させる役物作動機構とを備え、
前記役物作動機構が、
前記駆動モータにより駆動される第１，第２部材を含み且つ少なくとも部分的に重なり合った複数の部材と、
前記第１，第２部材が静止側の固定部材(46)から前記移動方向に第１相対移動した移動量を前記ギミックの回転動作に変換する第１変換手段と、
前記第２部材が前記移動方向の移動が停止された前記第１部材から前記移動方向に第２相対移動した移動量を前記ギミックの開閉動作に変換する第２変換手段とを有することを特徴とするパチンコ遊技機。
【請求項２】
可動役物装置を備えたパチンコ遊技機において、
前記可動役物装置は、
少なくとも１つのギミックと、
前記ギミックを直線的に進退移動させながら進退移動の移動方向と平行な軸回りに回動させる役物進退回動機構と、
前記役物進退回動機構を１つの駆動モータの駆動力で駆動する役物駆動機構とを備え、
前記役物駆動機構は、前記１つの駆動モータと、この駆動モータにより回転駆動されるスクリュー軸とを備え、
前記役物進退回動機構は、同一軸心を中心として多重配置された複数の筒部材を備え、
前記複数の筒部材は、静止側の固定筒体と、この固定筒体に進退自在に内嵌され且つ前記スクリュー軸に外嵌螺合された内筒体と、前記固定筒体に回動自在に外嵌された中筒体と、この中筒体に軸心方向へ相対移動可能に外嵌された外筒体とを有し、
前記役物進退回動機構は、
前記固定筒体に対する内筒体の相対回動を規制する回動規制機構と、
前記中筒体の先端部を内筒体の先端部分に軸心方向へ相対移動不能且つ相対回転自在に連結する移動規制機構と、
前記固定筒体に対する中筒体と外筒体の軸心方向への進退移動を回動に変換する回動機構とを備え、
前記中筒体は、前記外筒体に形成された開口から外側へ突出するギミック取付け部を有し、
前記ギミックとして、前記ギミック取付け部に取り付けられた第１ギミックと、前記中筒体に固定された端板部材と外筒体とに取り付けられた開閉式の第２ギミックとを設け、
前記第２ギミックの開閉支点部は前記端板部材に連結され、前記第２ギミックを開閉させる開閉リンクは外筒体に連結されたことを特徴とするパチンコ遊技機。
【発明の詳細な説明】
【技術分野】
【０００１】
本発明は、パチンコ遊技機に関し、特に、可動役物と、この可動役物を作動させる役物作動機構と、役物作動機構を駆動する役物駆動機構とを備えた可動役物装置に関するものである。
【背景技術】
【０００２】
従来から、パチンコ遊技機においては、遊技盤の盤面の中央部に画像表示器が設けられ、この画像表示器の近傍部位に複数の可動役物が連結した状態で設けられ、複数の可動役物が連動する動作により、一連の遊技演出を実現する可動役物装置が実用化されている。
【０００３】
特許文献１の可動役物装置には、同一軸心を中心として多重配置された複数の筒部材を備えた可動体と、可動体を駆動する駆動ユニットが設けられている。駆動ユニットは、先端部が筒部材の一部に固定されたコイルスプリングと、コイルスプリングを巻き取る又は送り出すリールと、リールを回転駆動する電動モータとを備えている。
【０００４】
電動モータによりリールが回転駆動されると、リールの回転によりコイルスプリングが巻き取り又は送り出され、このコイルスプリングの移動に連動して複数の筒部材が軸心方向に相対的に進退移動する。可動体はヤシの木を模している。
【０００５】
特許文献２の可動役物装置においては、第１可動役物の基端部がベース部材に回動自在に支持され、第２可動役物が第１可動役物に伸縮自在に装着されている。第１可動役物が第１電動モータにより回転駆動され、第２可動役物が第２電動モータにより伸縮駆動される。第２電動モータは第１可動役物に取り付けられ、その駆動力がラック・ピニオンを介して第２可動役物に伝達される。この第１，第２可動役物は人の腕を模している。
【先行技術文献】
【特許文献】
【０００６】
【特許文献１】特開２００７−１４４０７号公報
【特許文献２】特開２００８−１８００９号公報
【発明の概要】
【発明が解決しようとする課題】
【０００７】
特許文献１の可動役物装置では、複数の筒部材が軸心方向に相対的に進退移動するだけであり、つまり、可動体が一定方向にしか可動しないため、可動体の動作が単調であるから、演出効果を高めることができない。
【０００８】
特許文献２の可動役物装置では、第１，第２可動役物が夫々異なった動きで動作するが、第１，第２可動役物を夫々駆動する第１，第２電動モータが必要になるため、構造が大型化し、製作コストが高価になる。しかも、第２電動モータは第１可動役物に取り付けられているため、第１，第２可動役物の第２電動モータを含む全重量が重くなる。つまり、第１可動役物を第２可動役物及び第２電動モータと共に回動駆動する負荷が大きくなり、第１可動役物が円滑に回動しない虞もある。
【０００９】
本発明の目的は、１つの駆動モータの駆動力で可動役物の斬新で且つインパクトのある動作を実現して演出効果を高めることができる可動役物装置を有するパチンコ遊技機を提供することである。
【課題を解決するための手段】
【００１０】
本願発明は以下の構成を有するものである。尚、参照符号は、本願発明の理解促進の為に図面に図示した構成要素との対応関係の一例を示したものであり、本願発明の技術的範囲を限定するものではない。
請求項１のパチンコ遊技機は、可動役物装置(17)を備えたパチンコ遊技機(1)において、前記可動役物装置(17)は、少なくとも１つのギミック(41)と、１つの駆動モータ(43)を有する役物駆動機構(44)と、前記ギミック(41)を、直線的な進退移動動作、進退移動の移動方向と平行な軸回りに回動する回転動作、及び遊技盤の面に平行且つ前記移動方向に対して交差する方向に開閉する開閉動作させる役物作動機構(42,45)とを備え、前記役物作動機構(42,45)が、前記駆動モータ(43)により駆動される第１，第２部材(49,48)を含み且つ少なくとも部分的に重なり合った複数の部材(46,48,49)と、前記第１，第２部材が静止側の固定部材(46)から前記移動方向に第１相対移動した移動量を前記ギミック(41)の回転動作に変換する第１変換手段(53)と、前記第２部材(48)が前記移動方向の移動が停止された前記第１部材(49)から前記移動方向に第２相対移動した移動量を前記ギミック(41)の開閉動作に変換する第２変換手段(54)とを有することを特徴としている。
【００１１】
請求項２のパチンコ遊技機は、可動役物装置(17)を備えたパチンコ遊技機(1)において、前記可動役物装置(17)は、少なくとも１つのギミック(40,41)と、前記ギミック(40,41)を直線的に進退移動させながら進退移動の移動方向と平行な軸回りに回動させる役物進退回動機構(42)と、前記役物進退回動機構(42)を１つの駆動モータ(43)の駆動力で駆動する役物駆動機構(44)とを備え、前記役物駆動機構(44)は、前記１つの駆動モータ(43)と、この駆動モータ(43)により回転駆動されるスクリュー軸(56)とを備え、前記役物進退回動機構(42)は、同一軸心を中心として多重配置された複数の筒部材(46〜49)を備え、前記複数の筒部材(46〜49)は、静止側の固定筒体(46)と、この固定筒体(46)に進退自在に内嵌され且つ前記スクリュー軸(56)に外嵌螺合された内筒体(47)と、前記固定筒体(46)に回動自在に外嵌された中筒体(48)と、この中筒体(48)に軸心方向へ相対移動可能に外嵌された外筒体(49)とを有し、前記役物進退回動機構(42)は、前記固定筒体(46)に対する内筒体(47)の相対回動を規制する回動規制機構(50)と、前記中筒体(48)の先端部を内筒体(47)の先端部分に軸心方向へ相対移動不能且つ相対回転自在に連結する移動規制機構(52)と、前記固定筒体(46)に対する中筒体(48)と外筒体(49)の軸心方向への進退移動を回動に変換する回動機構(53)とを備え、前記中筒体(48)は、前記外筒体(49)に形成された開口(63)から外側へ突出するギミック取付け部(57)を有し、前記ギミック(40,41)として、前記ギミック取付け部(57)に取り付けられた第１ギミック(40)と、前記中筒体(48)に固定された端板部材(66)と外筒体(49)とに取り付けられた開閉式の第２ギミック(41)とを設け、前記第２ギミック(41)の開閉支点部(78)は前記端板部材(66)に連結され、前記第２ギミック(41)を開閉させる開閉リンク(77)は外筒体(49)に連結されたことを特徴としている。
【発明の効果】
【００２０】
本発明のパチンコ遊技機によれば、ギミックの斬新で且つインパクトのある動作を実現して、演出効果を高めることができる。
【図面の簡単な説明】
【００２１】
【図１】パチンコ遊技機の正面図である。
【図２】遊技盤とセンタ役物の正面図（可動役物装置退避位置）である。
【図３】遊技盤とセンタ役物の正面図（可動役物装置進出位置）である。
【図４】パチンコ遊技機の制御系ブロック図である。
【図５】可動役物装置（退避位置）の斜視図である。
【図６】可動役物装置の斜視図である。
【図７】可動役物装置の背面図である。
【図８】可動役物装置の正面図である。
【図９】可動役物装置の側面図である。
【図１０】可動役物装置（進出位置）の斜視図である。
【図１１】可動役物装置の正面図である。
【図１２】可動役物装置の平面図である。
【図１３】可動役物装置の一端側側面図である。
【図１４】可動役物装置の他端側側面図である。
【図１５】可動役物装置の分解斜視図である。
【図１６】可動役物装置の断面図である。
【図１７】回動機構の要部斜視図である。
【発明を実施するための形態】
【００２２】
以下、本発明を実施するための形態について実施例に基づいて説明する。
【実施例】
【００２３】
図１〜図３に示すように、パチンコ遊技機１には、遊技ホールに取付けられる外枠に開閉枠２が開閉自在に装着され、開閉枠２に開閉扉３が開閉自在に装着されている。開閉枠２に鉛直な盤面を形成する遊技盤４が装着され、遊技盤４の前面側に遊技領域４ａが形成されている。開閉扉３に窓３ａが形成され、その窓３ａに透明板３ｂが装着され、その透明板３ｂにより遊技領域４ａの前側が覆われている。
【００２４】
開閉扉３には、窓３ａの下側に遊技球を貯留する貯留皿５が設けられ、その貯留皿５に演出ボタン６が装着され、貯留皿５の右下側に発射ハンドル７が装着されている。発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００２５】
図２〜図４に示すように、遊技盤４には、多数の障害釘（図示略）、第１始動口１０、第２始動口装置１１、ゲート１２、大入賞口装置１３、複数の一般入賞口１４、センタ役物１５、画像表示器１６、可動役物装置１７、遊技表示盤１９が図２に示す配置で装着され、遊技盤４の裏面側に遊技制御装置２０が装着されている。
【００２６】
第１始動口１０には入賞した遊技球を検出する第１始動口ＳＷ１０ａが付設され、ゲート１２には通過した遊技球を検出するゲートＳＷ１２ａが付設され、各一般入賞口１４には入賞した遊技球を検出する一般入賞口ＳＷ１４ａが付設されている。尚、「ＳＷ」はスイッチを意味する。
【００２７】
第２始動口装置１１は、第２始動口１１ａ、第２始動口１１ａを開閉する開閉部材１１ｂ、第２始動口１１ａに入賞した遊技球を検出する第２始動口ＳＷ１１ｃ、開閉部材１１ｂを開閉駆動する第２始動口ＳＯＬ１１ｄ（電チューＳＯＬ）を有する。尚、「ＳＯＬ」はソレノイドアクチュエータを意味する。開閉部材１１ｂは、閉位置で第２始動口１１ａへの遊技球の入賞を不可能にし、開位置で第２始動口１１ａへの遊技球の入賞を可能にする。
【００２８】
大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、閉位置で大入賞口１３ａへの遊技球の入賞を不可能にし、開位置で大入賞口１３ａへの遊技球の入賞を可能にする。
【００２９】
センタ役物１５は、遊技盤４の前面よりも前方へ張り出す枠部材であり、遊技盤４の上部から中央部分に亙って遊技領域４ａの半分以上を占めるサイズのセンタ役物本体１５ａと、センタ役物本体１５ａの後側に設けられたセンタ役物ベース枠１５ｂとを有し、このセンタ役物１５に画像表示器１６と４つの可動役物装置１７が装着されている。
【００３０】
４つの可動役物装置１７は、２対の可動役物装置が１対ずつ互いに対角線状に対向するようにセンタ役物ベース枠１５ｂに夫々装着され、第１，第２ギミック４０，４１が、遊技盤４及びセンタ役物本体１５ａよりも後方の位置で、センタ役物本体１５ａの内側の演出領域における画像表示器１６の表示画面の前側近傍に配置されている。図３に示すように、各第２ギミック４１は、進出位置において円を４分割した１／４円の形状となり、４つの第２ギミック４１は、進出位置において円形のエンブレム４１Ａを形成する。このエンブレム４１Ａの表面には、図示省略した１つの装飾絵柄又は４つの装飾絵柄や装飾マーク等を表示するものとする。
【００３１】
可動役物装置１７は、遊技演出を行う本案特有の装置であり、例えば、特別図柄の変動中の特定演出実行中に作動して、画像表示器１６の表示画面の前側近傍の演出領域で第１，第２ギミック４０，４１を作動させる。この可動役物装置１７については後で詳しく説明する。遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３２】
第１特別図柄表示器１９ａには、第１始動口１０への遊技球の入賞に基づいて第１特別図柄が図柄変動後に停止表示される。第２特別図柄表示器１９ｂには、第２始動口１１ａへの遊技球の入賞に基づいて第２特別図柄が図柄変動後に停止表示される。第１又は第２特別図柄表示器１９ａ又は１９ｂに大当り図柄が停止表示された場合、大当り遊技状態が発生して、大入賞口装置１３が、開閉部材１３ｂを開閉動作させて、通常は閉塞の大入賞口１３ａを複数ラウンド（例えば、１０ラウンド）に亙って開閉させる。
【００３３】
普通図柄表示器１９ｃには、ゲート１２への遊技球の入賞（通過）に基づいて普通図柄が図柄変動後に停止表示される。普通図柄表示器１９ｃに当り図柄が停止表示された場合、補助遊技が発生して、第２始動口装置１１が、開閉部材１１ｂを開閉動作させ、通常は閉塞の第２始動口１１ａを１又は複数回開閉させる。
【００３４】
第１特別図柄保留ランプ１９ｄには、第１始動口１０に入賞した遊技球であって第１特別図柄表示器１９ａでの特別図柄変動に未だ供してない第１保留数が最大で４個表示される。第２特別図柄保留ランプ１９ｅには、第２始動口１１ａに入賞した遊技球であって第２特別図柄表示器１９ｂでの特別図柄変動に未だ供してない第２保留数が最大で４個表示される。普通図柄保留ランプ１９ｆには、ゲート１２に入賞した遊技球であって普通図柄表示器１９ｃでの図柄変動に未だ供してない普図保留数が最大で４個表示される。
【００３５】
発射ハンドル７を回動操作することで、遊技領域４ａの上部に発射投入された遊技球は、複数の障害釘に当たって方向を変えながら落下して、入賞口１０，１１ａ，１３ａ，１４の何れかに入賞した場合、そこから遊技領域４ａ外へ排出され、入賞口１０，１１ａ，１３ａ，１４の何れにも入賞しなかった場合には、最終的に、遊技領域４ａの下端部に形成されたアウト口９から遊技領域４ａ外へ排出される。
【００３６】
次に、パチンコ遊技機１の制御系について説明する。
図４に示すように、遊技制御装置２０は、主要な遊技制御を司るメイン制御装置２１と、メイン制御装置２１から種々の指令を受けて払出制御と演出制御とを司るサブ制御装置２５とを備えている。メイン制御装置２１は、ＣＰＵとＲＯＭとＲＡＭを有するコンピュータを備えて構成されている。遊技制御基板２２は盤用外部情報端子基板２３に接続されている。
【００３７】
サブ制御装置２５は、払出制御基板２６、演出制御基板２７、画像制御基板２８、ランプ制御基板２９に夫々ＣＰＵとＲＯＭとＲＡＭを有するコンピュータを備えて構成されている。演出制御基板２７のコンピュータは、更に、実時間を計時出力する計時手段としてのリアルタイムクロック（ＲＴＣ）を備えて構成されている。
【００３８】
遊技制御基板２２のコンピュータは、第１，第２始動口ＳＷ１０ａ，１１ｃ、ゲートＳＷ１２ａ、大入賞口ＳＷ１３ｃ、一般入賞口ＳＷ１４ａからの球検出信号と、払出制御基板２６からの制御情報を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２６と演出制御基板２７と遊技情報出力端子基板２３に制御情報（遊技情報）を出力する。
【００３９】
払出制御基板２６のコンピュータは、遊技制御基板２２からの制御情報と、払出球検出ＳＷ３１、球有り検出ＳＷ３２、満タン検出ＳＷ３３からの球検出信号を受けて、払出モータ３０を制御し、入賞口１０，１１ａ，１３ａ，１４への遊技球の入賞１個について、入賞口１０，１１ａ，１３ａ，１４毎に設定された数の遊技球を貯留皿５に払出し、遊技制御基板２２と枠用外部情報端子基板２４に制御情報（払出情報）を出力する。
【００４０】
演出制御基板２７のコンピュータは、遊技制御基板２２からの制御情報と、演出ボタン６からのボタン操作信号を受けて、画像制御基板２８に制御情報を出力し、更に、画像制御基板２８からの制御情報を受けて、ランプ制御基板２９に制御情報を出力する。
【００４１】
画像制御基板２８のコンピュータは、演出制御基板２７からの制御情報を受けて、画像表示器１６とスピーカ３４とを制御し、演出制御基板２７に制御情報を出力する。ランプ制御基板２９のコンピュータは、演出制御基板２７からの制御情報を受けて、主に画像制御基板２８のコンピュータによる制御に同期させて、枠ランプ３５と盤ランプ３６とを制御し、更に、可動役物装置１７（駆動モータ４３）を制御する。
【００４２】
次に、可動役物装置１７について詳しく説明する。
図３、図５〜図１７に示すように、可動役物装置１７は、可動役物としての第１，第２ギミック４０，４１と、この第１，第２ギミック４０，４１を直線的に進退移動させながら進退移動の移動方向と平行な軸心回りに回動させる役物進退回動機構４２と、役物進退回動機構４２を１つの駆動モータ４３の駆動力で駆動する役物駆動機構４４と、役物進退回動機構４２に連動連結したリンク機構４５とを備えている。
【００４３】
第１ギミック４０は、その移動方向に細長い龍を模した形状で構成され、役物進退回動機構４２に支持されている。第２ギミック４１は、２枚の開閉式の扇状装飾片４１ａで構成され、その背面に配設されたリンク機構４５を介して役物進退回動機構４２に支持されている。第２ギミック４１の２枚の扇状装飾片４１ａは、リンク機構４５の作動に連動して、前後に重なり合う閉状態と、互いに離隔する方向に１／４円の扇形に展開する開状態とに亙って作動するように構成されている。
【００４４】
第１, ２ギミック４０，４１は、遊技盤４の盤面と直交方向に離隔して平行に対向するように配置されている。役物駆動機構４４により役物進退回動機構４２を駆動することで、図２、図５示すように第１ギミック４０が前面側に位置すると共に第２ギミック４１が背面側に位置し且つ全体的に基端側に退避した退避位置と、図３、図１０に示すように第１, ２ギミック４０，４１が軸心方向に直線的に進出（前進）移動しながらその進出移動方向と平行な軸回りに１８０度回動して、第２ギミック４１が前面側に位置すると共に第１ギミック４０が背面側に位置する進出位置とに亙って切り換えられる。尚、「軸心」は、後述するスクリュー軸５６と筒部材４６〜４９の共通の軸心のことである。
【００４５】
役物進退回動機構４２は、複数の筒部材４６〜４９と、複数の筒部材４６〜４９を軸心方向に進退させつつ回動させる為の、回動規制機構５０と、移動規制機構５２と、回動機構５３と、作動補助機構５４とを備えている。
【００４６】
複数の筒部材４６〜４９は、静止側の固定筒体４６と、可動側の内筒体４７及び中筒体４８及び外筒体４９とを有し、同一の軸心を中心として多重配置されている。これら複数の筒部材４６〜４９は、軸心方向に所定の長さを有し、合成樹脂製のものである。
【００４７】
固定筒体４６は、円筒形状に形成され、基端部がベース板５５の支持部材５５ａに固定支持されている。ベース板５５は、センタ役物ベース枠１５ｂに装着されている。
内筒体４７は、固定筒体４６に挿入可能な円筒形状に形成され、その内周部には、その全長亙ってスクリュー溝（図示略）が形成されている。内筒体４７は、固定筒体４６に軸心方向に進退自在に内嵌され且つスクリュー溝を介して役物駆動機構４４のスクリュー軸５６に外嵌螺合されている。複数の可動側の筒部材４７〜４９は、スクリュー軸５６が回転することで回動し且つ進退移動するように構成されている。
【００４８】
中筒体４８は、固定筒体４６を挿入可能な円筒形状に形成され、固定筒体４６に回転可能に外嵌されている。中筒体４８の外周部には、ボス状の４つのギミック取付け部５７が軸心方向に所定間隔おきに突設され、このギミック取付け部５７に第１ギミック４０がビスで締結されている。中筒体４８の外周部の先端部には、径方向外側へ突出した１対の連結片５８が設けられている。中筒体４８の外周部の略中央部には、径方向外側へ突出したピン状の１対の突出片５９が設けられている。中筒体４８と、複数のギミック取付け部５７と、１対の連結片５８と、１対の突出片５９は一体形成されている。
【００４９】
外筒体４９は、上下に対称の１対の分割体４９ａ，４９ｂからなる筒体であり、中筒体４８に軸心方向へ相対移動可能に外嵌されている。１対の分割体４９ａ，４９ｂの基端部には細長い矩形状の取付け部６０ａ，６０ｂが設けられている。この取付け部６０ａ，６０ｂには、３つのボス部６０ｃが長手方向に所定間隔おきに設けられている。１対の分割体４９ａ，４９ｂは、１対の取付け部６０ａ, ６０ｂを組み合わせてボス部６０ｃのビス穴に挿通したビスで締結され、外筒体４９を形成している。外筒体４９の周方向の端部間には、軸心方向にストレート状に延びるスリット開口６３が形成されている（図１０参照）。
【００５０】
外筒体４９の先端部には、１対のギミック取付け部６１ａ，６１ｂが設けられ、これらギミック取付け部６１ａ，６１ｂにリンク機構４５を介して第２ギミック４１の一部が連結されている。外筒体４９の略中央部分には、夫々、軸心方向へ所定長さ延びる細長の１対のガイドスリット６２ａ，６２ｂが、軸心の両側に対向するように形成されている。
【００５１】
図１５に示すように、回動規制機構５０は、スクリュー軸５６の回転による固定筒体４６に対する内筒体４７の相対的な回動を規制するものである。回動規制機構５０は、固定筒体４６の内周面に形成された１対の規制溝６４と、内筒体４７の外周部に一体形成され１対の規制溝６４に係合する１対の突条６５とを有する。
【００５２】
規制溝６４は、角溝であり、固定筒体４６の内周部に軸心方向へストレート状に延びるように形成されている。１対の規制溝６４は、固定筒体４６の軸心の両側に対向状に設けられている。１対の突条６５と１対の係合溝６４により、静止側の固定筒体４６に対する内筒体４７の相対的な回転が規制されているため、駆動モータ４３によりスクリュー軸５６が回転駆動されると、内筒体４７は固定筒体４６に対して軸心方向に直線的に相対移動するようになっている。
【００５３】
移動規制機構５２は、中筒体４８の先端部を内筒体４７の先端部分に軸心方向へ相対移動不能且つ相対回転自在に連結するものである。移動規制機構５２は、中筒体４８の先端部に連結される端板部材６６と、内筒体４７の先端部分に一体形成された環状の鍔部材６７と、内筒体４７の先端部に外嵌固定された環状部材６８とを備えている。
【００５４】
端板部材６６は、縦長矩形状に形成され、鍔部材６７が内側から当接し、環状部材６８が外側から当接して、鍔部材６７と環状部材６８により挟持されている。端板部材６６の長手方向の両端部にはビス穴６６ａが形成され、端板部材６６の両端部と中筒体４８の１対の連結片５８とがビスで締結されている。
【００５５】
端板部材６６の中央部には軸心方向に貫通する円形穴６６ｂが形成され、この円形穴６６ｂに内筒体４７の先端部分が回動可能に挿通されている。環状部材６８は１対のビス６８ａにより内筒体４７の先端部に固定され、この環状部材６８により端板部材６６が内筒体４７から抜け止めされている。端板部材６６の側面部には１対のボス状のギミック取付け部６６ｄが設けられ、これらギミック取付け部６６ｄに第１ギミック４０の先端部がビスで固定されている。
【００５６】
図１０〜図１２、図１５、図１７に示すように、回動機構５３は、固定筒体４６に対する中筒体４８と外筒体４９の軸心方向への進退移動を、スクリュー軸５６の軸心を中心とする回転運動に変換するものである。回動機構５３は、固定筒体４６の外周部に形成された２本の螺旋溝６９及び２本の螺旋溝７０と、中筒体４８の内周部に形成されて１対の螺旋溝６９に係合した１対の係合突部７１と、外筒体４９の基端部の内周部に固定されたリング部材７２と、このリング部材７２の内周部に形成され且つ１対の螺旋溝７０に係合した１対の係合突部７３とを有する。尚、螺旋溝６９と螺旋溝７０は周方向に交互に形成されている。
【００５７】
図１５、図１７に示すように、螺旋溝６９は固定筒体４６の外周１周分のメイン螺旋溝６９ａと、このメイン螺旋溝６９ａの先端側に延びるストレート溝６９ｂとを有する。螺旋溝７０は固定筒体４６の外周１周分の螺旋溝である。１対の係合突部７１がメイン螺旋溝６９ａの基端に位置するとき、１対の係合突部７３が螺旋溝７０の基端に位置し、また、１対の係合突部７１がメイン螺旋溝６９ａの先端に位置するとき、１対の係合突部７３が螺旋溝７０の先端に位置するように設定されている。
【００５８】
スクリュー軸５６には逆ネジ状のスクリュー溝が形成されているため、スクリュー軸５６が正転（先端方向に向って時計回り）駆動されると、内筒体４７と中筒体４８と外筒体４９が前進移動する。その結果、１対の係合突部７１が１対のメイン螺旋溝６９ａに沿って前進側へ移動すると共に、１対の係合突部７３が１対の螺旋溝７０に沿って前進移動する。
【００５９】
このとき、中筒体４８と外筒体４９が軸心回りに１８０度回転し、第２ギミック４１が前面に向く状態になる。その後、１対の係合突部７３が螺旋溝７０の先端に達して外筒体４９が前進不能になるため、１対の係合突部７１が１対のストレート溝６９ｂに沿って前進移動しながら、中筒体４８のみが回転することなく軸心方向へ平行移動し、中筒体４８の先端側所定長さ部分（スリット６２ａ，６２ｂの長さにほぼ等しい）が外筒体４９の先端から突出した状態になる。これにより、第２ギミック４１が開状態になる。
【００６０】
上記の状態から、スクリュー軸５６を逆転させると、１対の係合突部７１が１対のストレート溝６９ｂに沿って後退移動しながら、中筒体４８のみが回転することなく後退移動し、中筒体４８の先端部が外筒体４９の先端部から突出しない状態になる。
その後、内筒体４７と中筒体４８と外筒体４９が後退移動するとき、１対の係合突部７１が１対のメイン螺旋溝６９ａに沿って移動し且つ１対の係合突部７３が１対の螺旋溝７０に沿って移動する際に、中筒体４８と外筒体４９が軸心回りに１８０度回転し、第１ギミック４０が前面に向いた状態になる。
【００６１】
作動補助機構５４は、中筒体４８に対する外筒体４９の回動を規制し且つ外筒体４９に対する中筒体４８の軸心方向への相対移動を許すものである。作動補助機構５４は、外筒体４９の１対のスリット６２ａ，６２ｂと、中筒体４８の１対の突出片５９と、これら突出片５９と外筒体４９の基端部の１対のバネ掛け部７５ａ，７５ｂとに夫々張架された１対の引っ張りバネ７６とを有する。
【００６２】
中筒体４８の１対の突出片５９は、外筒体４９の１対のスリット６２ａ，６２ｂから突出し、中筒体４８と外筒体４９とが一体的に回動するように外筒体４９の回動を補助すると共に、外筒体４９に対する中筒体４８の前進方向への相対移動を許容する。
１対のスリット６２ａ，６２ｂは、１対の突出片５９を介して外筒体４９に対して中筒体４８の軸心方向の直線的な相対移動をガイドすると共に、その移動範囲を制限する移動規制手段としての機能を有するものである。１対の引っ張りバネ７６は、外筒体４９に対して中筒体４８を退避位置側（後退方向）に付勢している。
【００６３】
この１対の引っ張りバネ７６の付勢力により、中筒体４８に固定された端板部材６６と外筒体４９の先端部との当接状態を保持可能であると共に、リンク機構４５が閉動作を行う際、リンク機構４５の１対のリンク部材７７ａと中筒体４８とが干渉しないように構成されている。
【００６４】
リンク機構４５は、第２ギミック４１を開閉動作させる為に設けられ、作動補助機構５４による中筒体４８に対する外筒体４９の軸心方向への直線的な相対移動に同期して作動するものである。リンク機構４５は、第２ギミック４１を開閉させる開閉リンク７７と、開閉支点部７８と、開閉リンク７７と開閉支点部７８間に連接する１対の連接部材７９ａとを備えている。
【００６５】
開閉リンク７７は、１対のリンク部材７７ａと、１対のリンク部材７７ａの一端部同士を回動自在にピン結合する支承部７７ｂを備えている。この支承部７７ｂの両端部は、外筒体４９の第２ギミック取付け部６１ａ，６１ｂにビスで固定されている。１対のリンク部材７７ａの他端部は、夫々、１対の連接部材７９ａの一端部と回動可能に連結されている。１対の連接部材７９ａの他端部は、夫々、開閉支点部７８の両端部に回動可能に連結されている。
【００６６】
１対の連接部材７９ａには、扇状装飾片４１ａの外端縁部分が複数のビスで固定されている。開閉支点部７８は、端板部材６６の側面部に一体形成された２つのボス状の取付け部６６ｃにビスで固定されている。
【００６７】
図６、図８、図１２、図１４、図１６に示すように、役物駆動機構４４は、１つの駆動モータ４３と、スクリュー軸５６と、駆動モータ４３の出力軸４３ａからスクリュー軸５６へ駆動力を伝達する駆動力伝達系のギヤ機構８０と、トルクリミッタ８１とを有する。駆動モータ４３は、ベース板５５に設けられた固定板５５ｃの背面に取り付けられている。ギヤ機構８０は、減速比の小さな減速ギヤ機構で、駆動モータ４３の出力軸４３ａに固定された駆動ギヤ８０ａと、駆動ギヤ８０ａに噛合する従動ギヤ８０ｂとを備えている。
【００６８】
従動ギヤ８０ｂは、トルクリミッタ８１を介してスクリュー軸５６の基端部に連結されている。スクリュー軸５６は、軸受部材５５ｂに回転自在に支持され、内筒体４７に挿入されてその内部のスクリュー溝に螺合されている。スクリュー軸５６は、駆動モータ４３によりギヤ機構８０とトルクリミッタ８１を介して軸心を中心として正転又は逆転方向に回転駆動される。トリックリミッタ８１は、スクリュー軸５６に所定以上の回転トルクがかかった場合に、スクリュー軸５６への回転駆動力の伝達を遮断するのである。
【００６９】
以上説明した可動役物装置１７は次のように動作する。
４つの可動役物装置１７は、夫々、非作動状態のとき、図２、図５に示すように、第１ギミック４０が前面に向き且つ第２ギミック４１が閉状態で後面に向いた状態で且つ筒部材４６〜４９が最大限後退した退避位置になり、センタ役物本体１５ａの内側の演出領域内において、２対の第１ギミック４０が１対ずつ対角線状に対向している。
【００７０】
可動役物装置１７は、特別図柄の変動中の特定演出実行中に作動して、大当り期待度を高めたり大当りを報知したりする演出や、大当り遊技実行中の特定演出実行中に作動して、遊技者により有利な大当り遊技への昇格を報知する演出等を行う。
４つの可動役物装置１７が作動することで、図３、図１０に示すように、第１，２ギミック４０，４１が退避位置から直線的に前進移動しながら前進移動方向と平行な軸心回りに、前進方向に向って反時計回りに１８０度回動して、第２ギミック４１が前面に向き且つ第１ギミック４０が後面に向いた状態の前進位置になると共に、各第２ギミック４１が１／４円の扇形に展開した開状態となり、４組の第２ギミック４１が円形のエンブレム４１Ａを形成する。
【００７１】
役物進退回動機構４２は、第１，第２ギミック４０，４１を作動させる際に、次のように作動する。１つの駆動モータ４３が作動すると、その駆動力がギヤ機構８０を介してスクリュー軸５６に伝達されて、スクリュー軸５６が軸心を中心として正転方向へ回転駆動される。スクリュー軸５６が回転すると、回動規制機構５０を介して、固定筒体４６に対して内筒体４７が軸心方向に直線的に前進移動すると共に、端板部材６６も移動する。
【００７２】
前述したように、中筒体４８と外筒体４９が前進しながら軸心回りに１８０度回転し、第２ギミック４１が前面に向き且つ第１ギミック４０が後面に向いた状態になる。その後、外筒体４９が停止状態のまま、内筒体４８が引っ張りバネ７６の付勢力に抗して、回転することなく前進移動する。そして、１対の突出片５９がスリット６２ａ，６２ｂの前端に達すると、中筒体４８が前進位置に停止し、トルクリミッタ８１がスリップ状態になる。
【００７３】
このとき、外筒体４９に対する中筒体４８の相対的前進移動により、リンク機構４５の支承部７７ｂが開閉支点部７８に対して相対的に後方移動するため、１対のリンク部材７７ａが開いて第２ギミック４１の１対の扇状装飾片４１ａが開状態になる。中筒体４８が前進位置に停止し、第２ギミック４１が開状態になると、図３に示すように、第２ギミック４１が画像表示器１６の画面の中央に円形のエンブレム４１Ａを形成する。
【００７４】
次に、筒部材４６〜４９と第１，第２ギミック４０，４１を退避位置に復帰させるためにスクリュー軸５６を逆転方向へ回転駆動すると、１対の係合突部７１が１対のストレート溝６９ａに沿って移動しながら、外筒体４９は停止状態のまま、引っ張りバネ７６の付勢力が作用するため、１対の突出片５９がスリット６２ａ，６２ｂの後端に達するまで、中筒体４８が後退移動し、リンク機構４５により第２ギミック４１が閉状態となる。
【００７５】
その後、中筒体４８と外筒体４９が回転しつつ後退移動し、１８０度回転すると退避位置に達し、１対の係合突部７１が１対のメイン螺旋溝６９ａの後端に達すると共に、１対の係合突部７３が１対の螺旋溝７０の後端に達すると、回転と後退移動が停止し、トルクリミッタ８１がスリップ状態となる。その退避位置では、第１ギミック４０が前面を向き且つ第２ギミック４１が後面を向いた状態になる。
【００７６】
この可動役物装置１７によれば次の効果を奏する。
役物進退回動機構４２により、第１，第２ギミック４０，４１が直線的に進退移動しながら進退移動の移動方向と平行な軸心回りに１８０度回転するので、第１，第２ギミック４０，４１の斬新で且つインパクトのある動作を実現して演出効果を高めることができる。
【００７７】
１つの駆動モータ４３の駆動力で役物進退回動機構４２を駆動するので、役物駆動機構４４を小型化できると共に、製作コストを低減することができる。故に、センタ役物１５に複数の可動役物装置１７を配置することができる。
【００７８】
役物進退回動機構４２は、回動規制機構５０と、移動規制機構５２と、回動機構５３と、作動補助機構５４とを備えたので、１つの駆動モータ４３の駆動力でもって複数の可動側の筒部材４７〜４９を迅速且つ円滑に作動させることができる。故に、第１, 第２ギミック４０，４１の可動演出をスムーズに行うことができる。
【００７９】
作動補助機構５４により、中筒体４８を外筒体４９に対して進出位置から退避位置方向へ迅速に移動させることができるため、リンク機構４５の閉動作を円滑に行うことができる。役物駆動機構４４は、スクリュー軸５６の基端部分に介装されたトルクリミッタ８１を有するので、原点位置検出や、位置検出センサ等を設ける必要がなく、部品点数を削減することできる。
【００８０】
第２ギミック４０は、進退回動動作をすると共に、外筒体４９に対する中筒体４８の軸心方向への相対移動に連動して開閉動作も行うので、ギミックによる演出効果を一層高めることができる。
【００８１】
尚、前記実施例を次のように変更可能である。
（１）実施例の１対の第１，第２螺旋溝６９，７０の溝形成角度を、種々の角度（例えば、１２０度、６０度等）で形成してもよい。
【００８２】
（２）実施例では、中筒体４７の外周面に１対の突条６５を形成し、中筒体４８の内周面に１対の規制溝６４を形成したが、中筒体４８の内周面に１対の突条を形成し、内筒体４７の外周面に１対の規制溝を形成してもよい。
【００８３】
（３）実施例では、内筒体４７の内周面にスクリュー溝を形成したが、スクリュー溝の代わりに、スクリュー軸５６に係合する１対の係合突部を設けてもよい。
【００８４】
（４）実施例では、トルクリミッタ８１をスクリュー軸５６の基端部分に介装したが、駆動モータ４３の出力軸４３ａに介装してもよい。
【００８５】
（５）その他、本発明の趣旨を逸脱しない範囲において、種々の変更を付加して実施可能である。例えば、第１，第２ギミックの形状、サイズ、外筒体４９と中筒体４８の回動方向、１対のガイド溝と１対の突条の形成、等については適宜変更可能である。また、本発明は、パチンコ遊技機に搭載される種々の可動役物装置に適用可能である。
【符号の説明】
【００８６】
１  パチンコ遊技機
１７  可動役物装置
４０  第１ギミック
４１  第２ギミック
４２  役物進退回動機構
４３  駆動モータ
４４  役物駆動機構
４５  リンク機構
４６  固定筒体
４７  内筒体
４８  中筒体
４９  外筒体
５０  回動規制機構
５２  移動規制機構
５３  回動機構
５４  作動補助機構
５６  スクリュー軸
５７  ギミック取付け部
５９  突出片
６２ａ，６２ｂ  スリット
６３  スリット開口
６４  規制溝
６５  突条
６６  端板部材
６７  鍔部材
６８  環状部材
６９  螺旋溝
７０  螺旋溝
７１  係合突部
７２  リング部材
７３  係合突部
７５ａ，７５ｂ  バネ掛け部
７６  引っ張りバネ
７７  開閉リンク
７８  開閉支点部
【図１】
0005813307.tif 000002
【図２】
0005813307.tif 000003
【図３】
0005813307.tif 000004
【図４】
0005813307.tif 000005
【図５】
0005813307.tif 000006
【図６】
0005813307.tif 000007
【図７】
0005813307.tif 000008
【図８】
0005813307.tif 000009
【図９】
0005813307.tif 000010
【図１０】
0005813307.tif 000011
【図１１】
0005813307.tif 000012
【図１２】
0005813307.tif 000013
【図１３】
0005813307.tif 000014
【図１４】
0005813307.tif 000015
【図１５】
0005813307.tif 000016
【図１６】
0005813307.tif 000017
【図１７】
0005813307.tif 000018